(57)【要約】  キャリアアグリゲーションをサポートする移動通信システムにおいて、基地局と通信を行うユーザ装置であって、前記基地局から、特定のセカンダリセルのグループに対応づけられる１以上のサブセルを追加する指示を受け付ける処理手段と、前記指示を受けて、前記特定のセカンダリセルのグループと前記１以上のサブセルとの対応付けを管理する管理手段と、前記基地局から、前記特定のセカンダリセルのグループに対する制御を受けた場合に、前記対応付けに基づき、前記１以上のサブセルのうち、いずれか１つのサブセルを制御する制御手段と、を有するユーザ装置を提供する。
2016133112.tif 000002
【特許請求の範囲】
【請求項１】
キャリアアグリゲーションをサポートする移動通信システムにおいて、基地局と通信を行うユーザ装置であって、
前記基地局から、特定のセカンダリセルのグループに対応づけられる１以上のサブセルを追加する指示を受け付ける処理手段と、
前記指示を受けて、前記特定のセカンダリセルのグループと前記１以上のサブセルとの対応付けを管理する管理手段と、
前記基地局から、前記特定のセカンダリセルのグループに対する制御を受けた場合に、前記対応付けに基づき、前記１以上のサブセルのうち、いずれか１つのサブセルを制御する制御手段と、
を有するユーザ装置。
【請求項２】
前記管理手段は、前記基地局から、前記特定のセカンダリセルのグループに対応づけられる前記１以上のサブセルのうち、制御対象のサブセルを指定するコマンドを受け付け、受け付けたコマンドに基づいて制御対象のサブセルを更に管理する、請求項１に記載のユーザ装置。
【請求項３】
前記制御手段は、前記基地局から前記特定のセカンダリセルのグループに対してアクティブ化又は非アクティブ化を行うためのコマンドを受信した場合、前記制御対象のサブセルをアクティブ化又は非アクティブ化するように制御する、請求項２に記載のユーザ装置。
【請求項４】
前記制御手段は、前記基地局から、前記特定のセカンダリセルのグループに対応づけられる前記１以上のサブセルのうち、前記制御対象のサブセルを切り替えるコマンドを受け付けた場合、アクティブ化されている切り替え前のサブセルを非アクティブ化するように制御する、請求項２又は３に記載のユーザ装置。
【請求項５】
前記制御対象のサブセルを指定するコマンド、又は、前記制御対象のサブセルを切り替えるコマンドは、ＭＡＣ  ＣＥに規定されるコマンドである、請求項４に記載のユーザ装置。
【請求項６】
前記制御手段は、前記基地局から、前記特定のセカンダリセルのグループに対応づけられる前記１以上のサブセルのうち、前記制御対象のサブセルを切り替えるコマンドを受け付けた場合、コマンドを受け付けたタイミング、又は、コマンドを受け付けてから所定の期間が経過した後に、アクティブ化されているサブセルの切り替えを行う、請求項２乃至５のいずれか一項に記載のユーザ装置。
【請求項７】
前記制御手段は、前記基地局から、前記特定のセカンダリセルのグループに対応づけられる前記１以上のサブセルのうち、前記制御対象のサブセルを切り替えるコマンドを受け付け、アクティブ化されているサブセルの切り替え処理を行っている間に、サブセルの品質情報を前記基地局に送信する場合、所定の値以下の値又は範囲外の値が設定された品質情報を前記基地局に通知する、請求項２乃至６のいずれか一項に記載のユーザ装置。
【請求項８】
前記制御手段は、前記基地局から、前記特定のセカンダリセルのグループに対応づけられる前記１以上のサブセルのうち、前記制御対象のサブセルを切り替えるコマンドを受け付け、アクティブ化されているサブセルの切り替えを行った場合、切り替え後のサブセルの余剰電力、及びバッファステータスのうち少なくとも１つを前記基地局に通知する、請求項２乃至７のいずれか一項に記載のユーザ装置。
【請求項９】
前記制御手段は、前記基地局から、前記特定のセカンダリセルのグループに対してアクティブ化又は非アクティブ化を行うためのコマンドを受信した場合、前記１以上のサブセルの周波数バンド、又は、前記１以上のサブセルを追加する指示を受け付けた順序に基づいて、前記いずれか１つのサブセルを選択する、請求項１に記載のユーザ装置。
【請求項１０】
キャリアアグリゲーションをサポートするユーザ装置と基地局とを有する移動通信システムにおけるセル制御方法であって、
前記基地局が、セカンダリセルに対応づけられる１以上のサブセルを追加する指示を行う指示ステップと、
前記ユーザ装置が、前記基地局から、特定のセカンダリセルのグループに対応づけられる１以上のサブセルを追加する指示を受け付ける処理ステップと、
前記ユーザ装置が、前記指示を受けて、前記特定のセカンダリセルのグループと前記１以上のサブセルとの対応付けを管理する管理ステップと、
前記ユーザ装置が、前記基地局から、前記特定のセカンダリセルのグループに対する制御を受けた場合に、前記対応付けに基づき、前記１以上のサブセルのうち、いずれか１つのサブセルを制御する制御ステップと、
を有するセル制御方法。
【発明の詳細な説明】
【技術分野】
【０００１】
本発明は、ユーザ装置、及びセル制御方法に関する。
【背景技術】
【０００２】
ＬＴＥ（Long Term Evolution）システムでは、所定の帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。【０００３】
ＣＡが行われる際には、ユーザ装置に対して、接続性を担保する信頼性の高いセルであるＰＣｅｌｌ（Ｐｒｉｍａｒｙ  Ｃｅｌｌ：プライマリセル）及び付随的なセルであるＳＣｅｌｌ（Ｓｅｃｏｎｄａｒｙ  Ｃｅｌｌ：セカンダリセル）が設定される。ユーザ装置は、第１に、ＰＣｅｌｌに接続し、必要に応じて、ＳＣｅｌｌを追加することができる。ＰＣｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートする単独のセルと同様のセルである。【０００４】
ＳＣｅｌｌは、ＰＣｅｌｌに追加されてユーザ装置に対して設定されるセルである。ＳＣｅｌｌの追加及び削除は、ＲＲＣ（Ｒａｄｉｏ  Ｒｅｓｏｕｒｃｅ  Ｃｏｎｔｒｏｌ）シグナリングによって行われる。ＳＣｅｌｌは、ユーザ装置に対して設定された直後は、非アクティブ状態（ｄｅａｃｔｉｖａｔｅ状態）であるため、アクティブ化することで初めて通信可能（スケジューリング可能）となるセルである。【０００５】
図１に示すように、ＬＴＥのＲｅｌ−１０のＣＡでは、同一基地局配下の複数のＣＣを用いている。また、Ｒｅｌ−１０のＣＡでは、例えば図２に示すように、最大で５つのＣＣを束ねることで、広帯域化により高速なデータレートを実現している。また、Ｒｅｌ−１１では、Ｉｎｔｅｒ−ｂａｎｄ  ＣＡを行うＣＣ間で独立かつ異なるタイミング制御を可能とするＭｕｌｔｉｐｌｅ  ＴＡ（ＭＴＡ）を導入し、Ｎｏｎ−ｃｏ−ｌｏｃａｔｅｄなＣＣによるＣＡの最適化を実現している。例えば、図３には、タイミング制御を行う単位であるＴＡＧ（Ｔｉｍｉｎｇ  Ａｄｖａｎｃｅ  Ｇｒｏｕｐ）が２つ（ＴＡＧ＃１、ＴＡＧ＃２）割り当てられていることが示されている。【０００６】
一方、Ｒｅｌ−１２では、異なる基地局配下のＣＣを用いて同時通信を行い、高スループットを実現するＤｕａｌ  ｃｏｎｎｅｃｔｉｖｉｔｙ（二重接続）が提案されている。つまり、Ｄｕａｌ  ｃｏｎｎｅｃｔｉｖｉｔｙでは、ユーザ装置は、２つの物理的に異なる基地局の無線リソースを同時に使用して通信を行う。【０００７】
Ｄｕａｌ  ｃｏｎｎｅｃｔｉｖｉｔｙはＣＡの一種であり、Ｉｎｔｅｒ  ｅＮＢ  ＣＡ（基地局間キャリアアグリゲーション）とも呼ばれ、Ｍａｓｔｅｒ−ｅＮＢ（ＭｅＮＢ）と、Ｓｅｃｏｎｄａｒｙ−ｅＮＢ（ＳｅＮＢ）が導入される。図４に、Ｄｕａｌ  ｃｏｎｎｅｃｔｉｖｉｔｙの例を示す。図４の例では、ＭｅＮＢがＣＣ＃１でユーザ装置と通信を行い、ＳｅＮＢがＣＣ＃２でユーザ装置と通信を行うことでＤｕａｌ  ｃｏｎｎｅｃｔｉｖｉｔｙ（以下、ＤＣ）を実現している。【０００８】
ＤＣにおいて、ＭｅＮＢ配下のセル（１つ又は複数）で構成されるセルグループをＭＣＧ（Ｍａｓｔｅｒ  Ｃｅｌｌ  Ｇｒｏｕｐ、マスターセルグループ）、ＳｅＮＢ配下のセル（１つ又は複数）で構成されるセルグループをＳＣＧ（Ｓｅｃｏｎｄａｒｙ  Ｃｅｌｌ  Ｇｒｏｕｐ、セカンダリセルグループ）と呼ぶ。ＳＣＧのうちの少なくとも１つのＳＣｅｌｌにはＵＬのＣＣが設定され、そのうちの１つにＰＵＣＣＨが設定される。このＳＣｅｌｌをＰＳＣｅｌｌ（ｐｒｉｍａｒｙ  ＳＣｅｌｌ）と呼ぶ。【０００９】
例えば、図５には、ＣＧ＃１にＴＡＧ＃１、ＴＡＧ＃２が設定され、ＣＧ＃２にＴＡＧ＃３が設定されている例が示されている。
【先行技術文献】
【非特許文献】
【００１０】
【非特許文献１】３ＧＰＰ  ＴＳ  ３６．３００  Ｖ１２．４．０  （２０１４−１２）
【発明の概要】
【発明が解決しようとする課題】
【００１１】
従来のＬＴＥでは、ユーザ装置は、ユーザ装置自身がサポートするＣＡ  ｂａｎｄ  ｃｏｍｂｉｎａｔｉｏｎを基地局に通知する。ユーザ装置は、通知したＣＡ  Ｂａｎｄ  ｃｏｍｂｉｎａｔｉｏｎにおけるＣＣの組み合わせを同時に設定可能であると共に、同時に全てのＣＣをアクティブ化してデータの送受信を行える処理能力を有していることを担保する必要があった。【００１２】
従来のＬＴＥの仕様では、ユーザ装置あたりＣｏｎｆｉｇｕｒｅ可能なＣＣの数は、最大で５である一方、Ｒｅｌ．１３のＬＴＥでは、より柔軟かつ高速な無線通信を実現するため、及び、連続する超広帯域のアンライセンスバンドで、多数のＣＣを束ねられるようにするために、ＣＡにおいて束ねられる最大５ＣＣの制限を取るＣＡ  ｅｎｈａｎｃｅｍｅｎｔが検討されている。例えば、最大で３２ＣＣを束ねるＣＡが検討されている。一例として、図６に、１６ＣＣを束ねる例を示す。なお、各セルは、例えば、１つのＣＣ、もしくは、下りＣＣと上りＣＣとの組とからなるが、以下の説明では、各セルはＣＣと同義と考えてよい。【００１３】
このように、多数のＣＣを束ねるＣＡを実現しようとすると、従来の考え方では、これらのＣＣを全て処理可能な能力を有するユーザ装置を提供する必要がある。そうすると、ユーザ装置の処理能力を大幅に向上させる必要があるため、ユーザ装置の開発が遅延してしまう可能性がある。【００１４】
そこで、従来の考え方を変えて、ユーザ装置が同時に処理可能な能力以上のＣＣを設定することを許容するようにした上で、ユーザ装置が処理可能な範囲でＳＣｅｌｌをアクティブ化して通信可能な状態にし、アクティブ化されるＳＣｅｌｌを必要に応じて動的に切り替えるようにすることが検討されている。これにより、アクティブ化されるＳＣｅｌｌを、適宜伝搬状態の良いＳＣｅｌｌに切替えるというような処理が行えるようになり、スケジューリングの自由度を上げてスループットを向上させることが可能になる。【００１５】
しかしながら、このような処理を行おうとしても、現状のＣＡの仕組みでは、例えば、アクティブ化されているＳＣｅｌｌを非アクティブ化するまでの時間を管理するｓＣｅｌｌＤｅａｃｔｉｖａｔｉｏｎＴｉｍｅｒなど、ＳＣｅｌｌごとに行われている制御機構をどのＳＣｅｌｌに対して割り当てるのかを制御する仕組みが存在しない。【００１６】
図７は、課題を説明するための図である。図７Ａは、従来の最大５ＣＣを束ねるＣＡにおいて、４つのＳＣｅｌｌが全てアクティブ化され、各ＳＣｅｌｌの各々に対してｓＣｅｌｌＤｅａｃｔｉｖａｔｉｏｎＴｉｍｅｒの制御機構がユーザ装置内で割り当てられている様子を示している。図７Ａに示すように、ユーザ装置は、ＳＣｅｌｌ＃１〜＃４の各々に対応づけられている制御機構を用いて、各ＳＣｅｌｌの制御を行っている。【００１７】
図７Ｂは、８ＣＣを束ねるＣＡが実現される場合において、従来のＣＡのように各ＳＣｅｌｌの各々に対してｓＣｅｌｌＤｅａｃｔｉｖａｔｉｏｎＴｉｍｅｒの制御機構がユーザ装置内で対応づけられる場合の様子を示している。また、図７Ｂにおいて、ＳＣｅｌｌ＃１、＃３、＃６、＃８はアクティブ状態であり、ＳＣｅｌｌ＃２、＃４、＃５及び＃７は非アクティブ状態であるとする。従来のＬＴＥによれば、ユーザ装置が最大５ＣＣまで同時に制御する能力しか有しない場合でも、全てのＳＣｅｌｌに対応づけられる制御機構を保持しなければならないことになる。しかしながら、ユーザ装置が最大５ＣＣまで同時に制御する能力しか有しないにも関わらず、ＳＣｅｌｌ＃１〜＃８の全てに対して制御機構を保持させる必要はないはずである。【００１８】
そこで、５ＣＣを超えるＣＣを束ねるＣＡを許容しつつ、同時にアクティブ化可能なＳＣｅｌｌを最大でも４つのセルにし、アクティブ化されたＳＣｅｌｌの各々にＳＣｅｌｌを制御する制御機構を割り当てることを考える。図７Ａのように、従来のＣＡでは、束ねられるＣＣは最大でも５ＣＣであり、ユーザ装置は、予めｓＣｅｌｌＤｅａｃｔｉｖａｔｉｏｎＴｉｍｅｒ＃１〜４を保持しているため、アクティブ化されたＳＣｅｌｌ＃１〜４のそれぞれに、ｓＣｅｌｌＤｅａｃｔｉｖａｔｉｏｎＴｉｍｅｒ＃１〜４を１対１で割り当てることができた。しかしながら、５ＣＣを超えるＣＣを束ねるＣＡを許容した場合、ＳＣｅｌｌを制御する制御機構を、どのＳＣｅｌｌに割り当てればよいのかを制御する仕組みが存在しない。例えば、図７Ｃに示すように、アクティブ化されたＳＣｅｌｌに対して、ｓＣｅｌｌＤｅａｃｔｉｖａｔｉｏｎＴｉｍｅｒ＃１〜４を割り当てようとしても、どのＳＣｅｌｌに対してどのｓＣｅｌｌＤｅａｃｔｉｖａｔｉｏｎＴｉｍｅｒを割り当てればよいのかを制御することができない。具体的には、例えばＳＣｅｌｌ＃６がアクティブ化されたとすると、ＳＣｅｌｌ＃６にｓＣｅｌｌＤｅａｃｔｉｖａｔｉｏｎＴｉｍｅｒ＃１を割り当てればよいのか、ｓＣｅｌｌＤｅａｃｔｉｖａｔｉｏｎＴｉｍｅｒ＃２を割り当てればよいのか、ｓＣｅｌｌＤｅａｃｔｉｖａｔｉｏｎＴｉｍｅｒ＃３を割り当てればよいのか、又はｓＣｅｌｌＤｅａｃｔｉｖａｔｉｏｎＴｉｍｅｒ＃４を割り当てればよいのかをユーザ装置は判断することができない。【００１９】
開示の技術は上記に鑑みてなされたものであって、同時に制御可能なＣＣ数を超えた数のＣＣを束ねるＣＡを行う場合に、適切にＣＣを制御して通信を行うことを可能にする技術を提供することを目的とする。
【課題を解決するための手段】
【００２０】
開示の技術のユーザ装置は、キャリアアグリゲーションをサポートする移動通信システムにおいて、基地局と通信を行うユーザ装置であって、前記基地局から、特定のセカンダリセルのグループに対応づけられる１以上のサブセルを追加する指示を受け付ける処理手段と、前記指示を受けて、前記特定のセカンダリセルのグループと前記１以上のサブセルとの対応付けを管理する管理手段と、前記基地局から、前記特定のセカンダリセルのグループに対する制御を受けた場合に、前記対応付けに基づき、前記１以上のサブセルのうち、いずれか１つのサブセルを制御する制御手段と、を有する。
【発明の効果】
【００２１】
開示の技術によれば、同時に制御可能なＣＣ数を超えた数のＣＣを束ねるＣＡを行う場合に、適切にＣＣを制御して通信を行うことを可能にする技術が提供される。
【図面の簡単な説明】
【００２２】
【図１】Ｒｅｌ−１０ＬＴＥのＣＡを説明するための図である。
【図２】Ｒｅｌ−１０ＬＴＥにおいてＣＣを束ねる例を示す図である。
【図３】Ｒｅｌ−１１ＬＴＥにおいてＣＣを束ねる例を示す図である。
【図４】Ｒｅｌ−１２で導入されたＤｕａｌ  ｃｏｎｎｅｃｔｉｖｉｔｙの例を示す図である。
【図５】Ｒｅｌ−１２ＬＴＥにおいてＣＣを束ねる例を示す図である。
【図６】Ｒｅｌ−１３ＬＴＥにおいてＣＣを束ねる例を示す図である。
【図７Ａ】課題を説明するための図である。
【図７Ｂ】課題を説明するための図である。
【図７Ｃ】課題を説明するための図である。
【図８】実施の形態に係る移動通信システムの構成を示す図である。
【図９Ａ】ＳＣｅｌｌのグループ分けを行う方法の一例を示す図である。
【図９Ｂ】ＳＣｅｌｌのグループ分けを行う方法の一例を示す図である。
【図１０】実施の形態に係る移動通信システムの処理手順の概要を示すフローチャートである。
【図１１】実施の形態に係るユーザ装置の機能構成の一例を示す図である。
【図１２】マッピング情報の一例を示す図である。
【図１３】実施の形態に係る基地局の機能構成の一例を示す図である。
【図１４】実施の形態に係るユーザ装置のハードウェア構成の一例を示す図である。
【図１５】実施の形態に係る基地局装置のハードウェア構成の一例を示す図である。
【図１６】実施の形態に係る処理手順（セル追加処理）の一例を示すシーケンス図である。
【図１７】コマンドのフォーマットの一例を示す図である。
【図１８】実施の形態に係る処理手順（制御対象サブセルの変更）の一例を示すシーケンス図である。
【図１９Ａ】制御対象のサブセルが変更される場合の動作例を示す図である。
【図１９Ｂ】制御対象のサブセルが変更される場合の動作例を示す図である。
【図１９Ｃ】制御対象のサブセルが変更される場合の動作例を示す図である。
【図２０】実施の形態に係る処理手順（セル削除処理）の一例を示すシーケンス図である。
【発明を実施するための形態】
【００２３】
以下、図面を参照して本発明の実施の形態を説明する。なお、以下で説明する実施の形態は一例に過ぎず、本発明が適用される実施の形態は、以下の実施の形態に限られるわけではない。本実施の形態では、ＬＴＥの移動通信システムを対象とするが、本発明はＬＴＥに限らず他の移動通信システムにも適用可能である。また、本実施の形態では、キャリアアグリゲーション技術が導入されている移動通信システムである前提で説明するが、これに限定されるわけではない。
【００２４】
また、本実施の形態において、ユーザ装置は、５ＣＣまでのＣＡをサポート（ＰＣｅｌｌと４つのＳＣｅｌｌとを組み合わせたＣＡをサポート）する前提で説明するが、これに限定されるわけではない。本実施の形態は、更に多くのＣＣを束ねるＣＡをサポート可能なユーザ装置に対しても適用することができる。
【００２５】
＜システム全体構成＞
図８は、実施の形態に係る移動通信システムの構成を示す図である。図８に示すように、本実施の形態における移動通信システムは、ユーザ装置１と基地局２とを含む移動通信システムであり、ユーザ装置１と基地局２との間でＣＡ通信を行うことができる。
【００２６】
また、図２の例では、１つのセルが示されているが、これも図示の便宜上のものであり、ＣＡが設定される際には複数のセルが存在する。また、例えば、基地局２から離れた場所に、基地局２と光ファイバ等で接続されるＲＲＥが備えられる構成であってもよい。
【００２７】
基地局２は、無線を通じてユーザ装置１との間で通信を行う。基地局２は、プロセッサなどのＣＰＵ、ＲＯＭ、ＲＡＭ又はフラッシュメモリなどのメモリ装置、ユーザ装置１等と通信するためのアンテナ、隣接する基地局２及びコアネットワーク等と通信するための通信インターフェース装置などのハードウェアリソースにより構成される。基地局２の各機能及び処理は、メモリ装置に格納されているデータやプログラムをプロセッサが処理又は実行することによって実現されてもよい。しかしながら、基地局２は、上述したハードウェア構成に限定されず、他の何れか適切なハードウェア構成を有してもよい。
【００２８】
ユーザ装置１は、無線を通じて基地局２及びコアネットワーク等と通信を行う機能を有する。ユーザ装置１は、例えば、携帯電話、スマートフォン、タブレット、モバイルルータ、ウェアラブル端末などである。ユーザ装置１は、通信機能を有する機器であれば、どのようなユーザ装置１であってもよい。ユーザ装置１は、プロセッサなどのＣＰＵ、ＲＯＭ、ＲＡＭ又はフラッシュメモリなどのメモリ装置、基地局２と通信するためのアンテナ、ＲＦ（Radio Frequency）装置などのハードウェアリソースにより構成される。ユーザ装置１の各機能及び処理は、メモリ装置に格納されているデータやプログラムをプロセッサが処理又は実行することによって実現されてもよい。しかしながら、ユーザ装置１は、上述したハードウェア構成に限定されず、他の何れか適切なハードウェア構成を有してもよい。
【００２９】
＜概要＞
本実施の形態に係る移動通信システムは、複数のＳＣｅｌｌを、ユーザ装置１が同時に制御可能なＣＣの数に収まるようにグループ分けを行い、各グループ内のＳＣｅｌｌのうち、いずれか１つのＳＣｅｌｌのみがアクティブ化されるように制御する。
【００３０】
図９は、ＳＣｅｌｌのグループ分けを行う方法の一例を示す図である。例えば、ＰＣｅｌｌと８つのＳＣｅｌｌとを有するＣＡを行う場合にＳＣｅｌｌのグループ分けを行う方法を、図９を用いて説明する。従来のＣＡに従うと、８つのＳＣｅｌｌには、例えば、図９Ａに示すように、それぞれ＃１〜＃８のような識別子が振られることになる。
【００３１】
一方、本実施の形態に係る移動通信システムは、８つのＳＣｅｌｌを、それぞれ２つのＳＣｅｌｌを含む４つのグループにグループ分けすると共に、各グループに含まれる２つのＳＣｅｌｌの各々に対して、グループ単位でセルを識別する識別子であって同一の識別子を付与するようにする。
【００３２】
本実施の形態に係る移動通信システムは、グループ単位でセルを識別する識別子として、例えば、同一のＣｅｌｌＩｎｄｅｘ及び同一のｓＣｅｌｌＩｎｄｅｘを各ＳＣｅｌｌの各々に付与するようにしてもよいし、同一のＣｅｌｌＩｎｄｅｘ又は同一のｓＣｅｌｌＩｎｄｅｘのいずれか一方を各ＳＣｅｌｌの各々に付与するようにしてもよい。このようにグループ単位でセルを識別する識別子が付与されることで、ユーザ装置１及び基地局２は、ＣｅｌｌＩｎｄｅｘ又はｓＣｅｌｌＩｎｄｅｘを用いて各グループを一意に識別することが可能になる。なお、以下において、説明の便宜上、グループ単位でセルを識別する識別子として「ｓＣｅｌｌＩｎｄｅｘ」が付与されるものとして説明を続けるが、上述の通り、「ＣｅｌｌＩｎｄｅｘ」が付与されるようにしてもよいし、「ＣｅｌｌＩｎｄｅｘ」及び「ｓＣｅｌｌＩｎｄｅｘ」の両方が付与されるようにしてもよい。
【００３３】
更に、本実施の形態に係る移動通信システムは、４つのグループの各々に含まれるＳＣｅｌｌに対して、同一グループ内で各ＳＣｅｌｌを一意に識別するための識別子を付与する。この識別子を、本実施の形態では、「ｓｕｂＣｅｌｌＩｎｄｅｘ」という。
【００３４】
図９Ｂに、各ＳＣｅｌｌに「ｓＣｅｌｌＩｎｄｅｘ」及び「ｓｕｂＣｅｌｌＩｎｄｅｘ」が付与された状態を示す。図９Ｂに示すように、ＳＣｅｌｌ＃１のグループに属する２つのＳＣｅｌｌに、「ｓＣｅｌｌＩｎｄｅｘ」として＃１が割り当てられており、更に、「ｓｕｂＣｅｌｌＩｎｄｅｘ」として、それぞれ＃１ａ、＃１ｂが割り当てられている。また、ＳＣｅｌｌ＃２のグループに属する２つのＳＣｅｌｌに、「ｓＣｅｌｌＩｎｄｅｘ」として＃２が割り当てられており、更に、「ｓｕｂＣｅｌｌＩｎｄｅｘ」として、それぞれ＃２ａ、＃２ｂが割り当てられている。また、ＳＣｅｌｌ＃３のグループに属する２つのＳＣｅｌｌに、「ｓＣｅｌｌＩｎｄｅｘ」として＃３が割り当てられており、更に、「ｓｕｂＣｅｌｌＩｎｄｅｘ」として、それぞれ＃３ａ、＃３ｂが割り当てられている。また、ＳＣｅｌｌ＃４のグループに属する２つのＳＣｅｌｌに、「ｓＣｅｌｌＩｎｄｅｘ」として＃４が割り当てられており、更に、「ｓｕｂＣｅｌｌＩｎｄｅｘ」として、それぞれ＃４ａ、＃４ｂが割り当てられている。
【００３５】
なお、図９Ｂに示すｓＣｅｌｌＩｎｄｅｘの値（＃１〜＃４）は、説明の便宜上付与されたものであり、各グループを一意に識別できる識別子であれば、どのような識別子であってもよい。また、図９Ｂに示すｓｕｂＣｅｌｌＩｎｄｅｘの値（＃１ａ〜＃４ｂ）は、説明の便宜上付与されたものであり、各グループ内のＳＣｅｌｌを一意に識別できる識別子であれば、どのような識別子であってもよい。
【００３６】
また、本実施の形態に係る移動通信システムは、各グループ内の１以上のＳＣｅｌｌのうち、アクティブ化されるＳＣｅｌｌは１つになるように制御する。すなわち、図９のように、各ＳＣｅｌｌが４つにグループ分けされている場合、同時にアクティブ化されるＳＣｅｌｌは最大４つになる。
【００３７】
このようにＳＣｅｌｌをグル―プ分けした上でＳＣｅｌｌを制御することで、本実施の形態に係る移動通信システムは、多数のＣＣを束ねるＣＡを行う場合であっても、ユーザ装置１が同時に制御可能なＣＣの範囲でＣＡを行うことが可能になる。
【００３８】
なお、以下の説明において、各グループ内のＳＣｅｌｌの各々を「ｓｕｂＳＣｅｌｌ」又は「サブセル」ということがある。また、ｓｕｂＳＣｅｌｌに対応するＣＣを「ｓｕｂＣＣ」ということがある。
【００３９】
図１０は、実施の形態に係る移動通信システムの処理手順の概要を示すフローチャートである。図１０を用いて、実施の形態に係る移動通信システムがＳＣｅｌｌのグループ分けを行った上で、グループ分けされたＳＣｅｌｌを制御する方法について説明する。
【００４０】
まず、ステップＳ１１で、基地局２は、ＳＣｅｌｌの追加をユーザ装置１に指示する際に、追加されるＳＣｅｌｌのｓＣｅｌｌＩｎｄｅｘとｓｕｂＣｅｌｌＩｎｄｅｘとをユーザ装置１に伝える。ユーザ装置１は、ｓＣｅｌｌＩｎｄｅｘにより当該ＳＣｅｌｌが属するグループを識別することができ、ｓｕｂＣｅｌｌＩｎｄｅｘによりグループ内で当該ＳＣｅｌｌ（サブセル）を一意に識別することができる。
【００４１】
ステップＳ１２で、基地局２は、各グループ内の１以上のサブセルのうち、どのサブセルを制御対象にするのかを指定する。ユーザ装置１は、指定された制御対象のサブセルを記憶しておく。
【００４２】
ステップＳ１３で、基地局２は、サブセルのアクティブ化をユーザ装置１に指示する。このとき、基地局２は、アクティブ化させるＳＣｅｌｌのグループを指定するようにする。例えば、基地局２は、従来のＭＡＣ（Medium Access Control）  ＣＥ（Control Element）のフォーマットに従い、ｓＣｅｌｌＩｎｄｅｘをユーザ装置１に送信することで、アクティブ化させるＳＣｅｌｌのグループを指定するようにしてもよい。
【００４３】
続いて、ユーザ装置１は、ステップＳ１３で指定されたＳＣｅｌｌのグループのうち、ステップＳ１２の処理手順で制御対象に指定されたサブセルをアクティブ化する。また、アクティブ化されたサブセルに対して、ｓＣｅｌｌＤｅａｃｔｉｖａｔｉｏｎＴｉｍｅｒ、ＣＳＩ（Channel State Information）通知、ＨＡＲＱ（Hybrid Automatic Repeat reQuest）制御のように、ＳＣｅｌｌごとに行われている制御機構が、ユーザ装置１と基地局２との間で動作する。
【００４４】
以上、実施の形態に係る移動通信システムは、ステップＳ１１及びステップＳ１２の処理手順により、グループ分けしたＳＣｅｌｌのうち、どのサブセルを制御対象にするかを予め決めておくようにする。その上で、実施の形態に係る移動通信システムは、ステップＳ１３の処理手順により、ＳＣｅｌｌのグループを指定してセルを制御（アクティブ化）するようにする。ステップＳ１３の処理手順には、既にＬＴＥの仕様で決められている処理手順を流用するようにしてもよい。
【００４５】
つまり、実施の形態に係る移動通信システムは、ＳＣｅｌｌのグループ（「サブセルのグループ」とも言うことができる）を１つの仮想的なＳＣｅｌｌとして定義し、従来のＳＣｅｌｌごとに行われている制御機構を、仮想的なＳＣｅｌｌに割り当てるようにしていると言うことができる。これにより、実施の形態に係る移動通信システムは、多数のＣＣを束ねるＣＡを行う場合であっても、既存の処理手順を生かしつつ、ユーザ装置１が同時に制御可能なＣＣの範囲でＣＡを行うことが可能になる。
【００４６】
＜機能構成＞
（ユーザ装置）
図１１は、実施の形態に係るユーザ装置の機能構成の一例を示す図である。図１１に示すように、ユーザ装置１は、ＤＬ信号受信部１０１、ＵＬ信号送信部１０２、ＲＲＣ（無線リソース制御）処理部１０３、マッピング管理部１０４、及びセル制御部１０５を含む。図１１は、ユーザ装置１において本発明の実施の形態に特に関連する機能部のみを示すものであり、少なくともＬＴＥに準拠した動作を行うための図示しない機能も有するものである。また、図１１に示す機能構成は一例に過ぎない。本実施の形態に係る動作を実行できるのであれば、機能区分や機能部の名称はどのようなものでもよい。
【００４７】
ＤＬ信号受信部１０１は、基地局２から各種の信号を無線受信し、受信した物理レイヤの信号からより上位のレイヤの信号を取得する機能を含む。ＵＬ信号送信部１０２は、ユーザ装置１から送信されるべき上位のレイヤの信号から、物理レイヤの各種信号を生成し、無線送信する機能を含む。ＤＬ信号受信部１０１及びＵＬ信号送信部１０２はそれぞれ、複数のＣＣを束ねて通信を行うＣＡを実行する機能を含む。
【００４８】
ＤＬ信号受信部１０１とＵＬ信号送信部１０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００４９】
ＲＲＣ処理部１０３は、基地局２との間でＲＲＣメッセージの送受信を行うとともに、ＣＡの設定／変更／管理、構成変更等の処理を行う機能を含む。ＲＲＣ処理部１０３は、ＣＡの設定を行う機能部であるので、設定部と呼んでもよい。ＲＲＣ処理部１０３が行うＣＡの設定は、例えば、ＲＲＣメッセージに含まれる情報（ＣｅｌｌＩｎｄｅｘ、ｓＣｅｌｌＩｎｄｅｘ等）を、マッピング管理部１０４に通知することを含む。
【００５０】
マッピング管理部１０４は、ＳＣｅｌｌのグループ毎に含まれる１以上のサブセルの各々に割り当てられているｓＣｅｌｌＩｎｄｅｘ及びｓｕｂＣｅｌｌＩｎｄｅｘと、ＳＣｅｌｌのグループ毎に含まれる１以上のサブセルのうち、どのサブセルが制御対象であるかを示す情報とを含むマッピング情報をメモリ等の記憶手段に格納して管理する。マッピング管理部は、ＣＡにおいてＣＣの追加／削除が行われる際に、基地局２から送信される制御情報（ＲＲＣ信号、及びＭＡＣ  ＣＥ）に基づいて、マッピング情報の作成／更新等の処理を行う。
【００５１】
セル制御部１０５は、基地局２から制御対象のサブセルを指定するための通知を受信して、マッピング管理部に通知する。また、セル制御部１０５は、ＭＡＣ  ＣＥによる特定のＳＣｅｌｌのグループを指定したアクティブ化（又は非アクティブ化）コマンドにより、サブセルをアクティブ化（又は非アクティブ化）させる制御を実行する。セル制御部１０５は、マッピング情報に基づいて、どのサブセルをアクティブ化又は非アクティブ化するのかを把握する。
【００５２】
また、セル制御部１０５は、サブセルに関する各種情報（例えば、品質情報（ＣＱＩ）、余剰電力、バッファステータス等）を基地局２に通知する。
【００５３】
なお、ユーザ装置１において、セル（又はサブセル）をアクティブ化するとは、例えば、ＤＬ信号受信部１０１及び／又はＵＬ信号送信部１０２に対して、当該セル（又はサブセル）を構成するＣＣ（又はｓｕｂＣＣ）を用いて通信を行う（例：ＰＤＣＣＨ、ＰＤＳＣＨの受信を行う）ことを指示するとともに、記憶手段等に、該当セル（又はサブセル）がアクティブ化されたことを示す情報を記憶することである。セル（又はサブセル）を非アクティブ化するとは、当該セル（又はサブセル）を構成するＣＣ（又はｓｕｂＣＣ）を用いた通信を停止することを指示するとともに、記憶手段等に、該当セル（又はサブセル）が非アクティブ化されたことを示す情報を記憶することである。
【００５４】
図１２は、マッピング情報の一例を示す図である。マッピング情報には、ｓＣｅｌｌＩｎｄｅｘカラムと、ｓｕｂＣｅｌｌＩｎｄｅｘカラムと、制御対象サブセルカラムとが、サブセル毎に１レコードずつ格納されている。
【００５５】
ｓＣｅｌｌＩｎｄｅｘカラムには、サブセルに割り当てられているｓＣｅｌｌＩｎｄｅｘが格納される。ｓｕｂＣｅｌｌＩｎｄｅｘカラムには、サブセルに割り当てられているｓｕｂＣｅｌｌＩｎｄｅｘが格納される。制御対象サブセルカラムには、同一のｓＣｅｌｌＩｎｄｅｘが割り当てられているサブセルのうち、どのサブセルが制御対象であるかを示す情報が格納される。制御対象のサブセルには「○」が設定され、制御対象ではないサブセルには「×」が設定される。また、制御対象のサブセルが決定されていない場合、「−」が設定される。
【００５６】
同一のｓＣｅｌｌＩｎｄｅｘが割り当てられている複数のサブセルのうち、「○」が設定されるサブセルは一つである。また、制御対象のサブセルが決定されていない場合、同一のｓＣｅｌｌＩｎｄｅｘが割り当てられている１以上のサブセルの各々に「−」が設定される。例えば、図１２に示すマッピング情報で、ｓＣｅｌｌＩｎｄｅｘカラムに「４」が設定されている２つのサブセル（ｓｕｂＣｅｌｌＩｎｄｅｘが「４ａ」及び「４ｂ」であるセル）の制御対象サブセルカラムには、「−」が設定されている。これは、ｓＣｅｌｌＩｎｄｅｘが「４」であるＳＣｅｌｌのグループに対して、制御対象のサブセルが基地局２から指示されていない状態であることを示している。
【００５７】
（基地局）
図１３は、実施の形態に係る基地局の機能構成の一例を示す図である。図１３に示すように、基地局２は、ＵＬ信号受信部２０１、ＤＬ信号送信部２０２、ＲＲＣ処理部２０３、マッピング管理部２０４、及びセル制御指示部２０５を含む。図１３は、基地局２において本発明の実施の形態に特に関連する機能部のみを示すものであり、少なくともＬＴＥに準拠した動作を行うための図示しない機能も有するものである。また、図１３に示す機能構成は一例に過ぎない。本実施の形態に係る動作を実行できるのであれば、機能区分や機能部の名称はどのようなものでもよい。
【００５８】
ＵＬ信号受信部２０１は、各ユーザ装置１から各種の信号を無線受信し、受信した物理レイヤの信号からより上位のレイヤの信号を取得する機能を含む。ＤＬ信号送信部２０２は、基地局２から送信されるべき上位のレイヤの信号から、物理レイヤの各種信号を生成し、無線送信する機能を含む。ＵＬ信号受信部２０１及びＤＬ信号送信部２０２はそれぞれ、複数のＣＣを束ねて通信を行うＣＡを実行する機能を含む。また、ＵＬ信号受信部２０１及びＤＬ信号送信部２０２は、ＲＲＥのように、基地局２の本体（制御部）から遠隔に設置された無線通信部であってもよい。
【００５９】
ＵＬ信号受信部２０１とＤＬ信号送信部２０２はそれぞれ、パケットバッファを備え、レイヤ１（ＰＨＹ）及びレイヤ２（ＭＡＣ、ＲＬＣ、ＰＤＣＰ）の処理を行うことを想定している。ただし、これに限られるわけではない。
【００６０】
ＲＲＣ処理部２０３は、ユーザ装置１との間でＲＲＣメッセージの送受信を行うとともに、ＣＡの設定／変更／管理、構成変更等の処理を行う機能を含む。ＲＲＣ処理部２０３は、ＣＡの設定を行う機能部であるので、設定部と呼んでもよい。
【００６１】
マッピング管理部２０４は、ユーザ装置に指示した、ＳＣｅｌｌのグループ毎に含まれる１以上のサブセルの各々に割り当てるｓＣｅｌｌＩｎｄｅｘ及びｓｕｂＣｅｌｌＩｎｄｅｘと、ＳＣｅｌｌのグループ毎に含まれる１以上のサブセルのうち、どのサブセルが制御対象であるかを示す情報とを管理する。マッピング管理部２０４は、例えば、図１２に示すマッピング情報をメモリ等の記憶手段に格納して管理するようにしてもよい。
【００６２】
セル制御指示部２０５は、マッピング管理部２０４に管理されている情報に基づいて、制御対象のサブセルをユーザ装置１に指示すると共に、ＭＡＣ  ＣＥによる特定のＳＣｅｌｌのグループを指定したアクティブ化（又は非アクティブ化）コマンドにより、ユーザ装置１に対して、サブセルをアクティブ化（又は非アクティブ化）させる制御を実行する。
【００６３】
以上説明したユーザ装置１及び基地局２の機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００６４】
（ユーザ装置）
図１４は、実施の形態に係るユーザ装置のハードウェア構成の一例を示す図である。図１４は、図１１よりも実装例に近い構成を示している。図１４に示すように、ユーザ装置１は、無線信号に関する処理を行うＲＦ（Radio Frequency）モジュール３０１と、ベースバンド信号処理を行うＢＢ（Base Band）処理モジュール３０２と、上位レイヤ等の処理を行うＵＥ制御モジュール３０３とを有する。
【００６５】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図１１に示すＤＬ信号受信部１０１の一部、ＵＬ信号送信部１０２の一部を含む。
【００６６】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＢＢ処理モジュール３０２は、例えば、図１１に示すＤＬ信号受信部１０１の一部、ＵＬ信号送信部１０２の一部、マッピング管理部１０４の一部、セル制御部１０５の一部を含む。
【００６７】
ＵＥ制御モジュール３０３は、ＩＰレイヤのプロトコル処理、各種アプリケーションの処理等を行う。プロセッサ３１３は、ＵＥ制御モジュール３０３が行う処理を行うプロセッサである。メモリ３２３は、プロセッサ３１３のワークエリアとして使用される。ＵＥ制御モジュール３０３は、例えば、図１１に示すＲＲＣ処理部１０３、マッピング管理部１０４の一部、セル制御部１０５の一部を含む。
【００６８】
（基地局）
図１５は、実施の形態に係る基地局のハードウェア構成の一例を示す図である。図１５は、図１３よりも実装例に近い構成を示している。図１５に示すように、基地局２は、無線信号に関する処理を行うＲＦモジュール４０１と、ベースバンド信号処理を行うＢＢ処理モジュール４０２と、上位レイヤ等の処理を行う装置制御モジュール４０３と、ネットワークと接続するためのインターフェースである通信ＩＦ４０４とを有する。
【００６９】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図１３に示すＵＬ信号受信部２０１の一部、ＤＬ信号送信部２０２の一部を含む。
【００７０】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図１３に示すＵＬ信号受信部２０１の一部、ＤＬ信号送信部２０２の一部、マッピング管理部２０４の一部、セル制御指示部２０５の一部を含む。
【００７１】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局２自身が動作するための各種設定情報等が格納される。装置制御モジュール４０３は、例えば、図１３に示すＲＲＣ制御部２０３、マッピング管理部２０４の一部、セル制御指示部２０５の一部を含む。
【００７２】
＜処理手順＞
続いて、本実施の形態に係る移動通信システムが行う処理手順について説明する。なお、以下の説明において、ユーザ装置１及び基地局２は、ｓＣｅｌｌＩｎｄｅｘを用いてＳＣｅｌｌのグループを識別する前提で説明するが、ｓＣｅｌｌＩｎｄｅｘの代わりにＣｅｌｌＩｎｄｅｘを用いてＳＣｅｌｌのグループを識別するようにしてもよい。また、ｓＣｅｌｌＩｎｄｅｘ及びＣｅｌｌＩｎｄｅｘの両方を用いてＳＣｅｌｌのグループを識別するようにしてもよい。
【００７３】
（ＣＡにおけるセル追加処理）
図１６は、実施の形態に係る処理手順（セル追加処理）の一例を示すシーケンス図である。図１６を用いて、実施の形態に係る移動通信システムにおいて、基地局２からユーザ装置１にＣＡの開始が指示された後、追加されたセル（サブセル）がアクティブ化されるまでの一連の処理手順を説明する。
【００７４】
ステップＳ３０１で、基地局２のＲＲＣ処理部２０３は、セルの追加を指示する制御信号をユーザ装置１に送信する。当該制御信号には、追加されるＳＣｅｌｌのｓＣｅｌｌＩｎｄｅｘ及びｓｕｂＣｅｌｌＩｎｄｅｘが含まれている。また、当該制御信号には、追加されるセルに関する各種設定情報（バンド幅、物理チャネル構成に関する情報、ＴＤＤ構成情報等）が含まれている。なお、基地局２のＲＲＣ処理部２０３は、当該制御信号を用いて複数のセルを追加するようにユーザ装置１に指示するようにしてもよい。当該制御信号は、例えば、ＲＲＣ  Ｃｏｎｎｅｃｔｉｏｎ  Ｒｅｃｏｎｆｉｇｕｒａｔｉｏｎ信号である。
【００７５】
なお、基地局２のＲＲＣ処理部２０３は、同一のＳＣｅｌｌのグループに新たなサブセルを追加しようとする場合、追加されるセルに関する各種設定情報（例えば、バンド幅、物理チャネル構成に関する情報、ＴＤＤ構成情報等）のうち、過去に追加されたサブセルと同一の設定情報を省略してユーザ装置１に送信するようにしてもよい。これにより、実施の形態に係る移動通信システムは、ユーザ装置１及び基地局２の間で通信される制御信号の信号量を削減することが可能になる。
【００７６】
ステップＳ３０２で、ユーザ装置１のＲＲＣ処理部１０３は、ステップＳ３０１の処理手順で指示されたセルを追加するための処理を行う。なお、ユーザ装置１のＲＲＣ処理部１０３は、同一のＳＣｅｌｌのグループにて、新たなサブセルの追加が指示された場合、追加されるセルに関する各種設定情報（例えば、バンド幅、物理チャネル構成に関する情報、ＴＤＤ構成情報等）のうち、ステップＳ３０１の処理手順で基地局２から通知されなかった各種設定情報については、同一のＳＣｅｌｌのグループに存在するサブセルに設定済みの各種設定情報を参照するようにしてもよい。これにより、実施の形態に係る移動通信システムは、ユーザ装置１及び基地局２の間で通信される制御信号の信号量を削減することが可能になる。
【００７７】
ステップＳ３０３で、ユーザ装置１のマッピング管理部１０４は、マッピング情報に新たなレコードを追加し、追加したレコードにステップＳ３０１の処理手順で指示されたｓＣｅｌｌＩｎｄｅｘ及びｓｕｂＣｅｌｌＩｎｄｅｘを格納する。なお、この時点で、当該レコードの「制御対象サブセル」カラムには、「−」が設定される。
【００７８】
ステップＳ３０４で、基地局２のセル制御指示部２０５は、制御対象のサブセルを指定するための制御信号をユーザ装置１に送信する。当該制御信号は、例えば、ＭＡＣ信号のコマンドでもよいし、ＰＤＣＣＨ等の物理チャネルの制御情報（ＤＣＩ）を用いてもよい。
【００７９】
図１７は、コマンドのフォーマットの一例を示す図である。図１７に示すコマンドには、ｓＣｅｌｌＩｎｄｅｘ及びｓｕｂＣｅｌｌＩｎｄｅｘが格納されている。ユーザ装置１は、当該コマンドに格納されているｓＣｅｌｌＩｎｄｅｘ及びｓｕｂＣｅｌｌＩｎｄｅｘにより、制御対象のサブセルを一意に特定することができる。なお、基地局２のセル制御指示部２０５は、制御対象のサブセルを複数同時に指定するようにしてもよい。この場合、基地局２のセル制御指示部２０５は、図１７に示すコマンドを複数含む制御信号を、ユーザ装置１に送信するようにしてもよい。図１７に示すコマンドのフォーマットは一例にすぎず、他のフォーマットが用いられるようにしてもよい。また、ＰＤＣＣＨ等の物理チャネルの制御情報（ＤＣＩ）に図１７に示すフォーマットが用いられるようにしてもよいし、他のフォーマットが用いられるようにしてもよい。図１６に戻り説明を続ける。
【００８０】
ステップＳ３０５で、ユーザ装置１のマッピング管理部１０４は、マッピング情報のうち、ステップＳ３０４で指示されたサブセルの「制御対象サブセル」カラムを「○」に設定する。また、マッピング情報に、ステップＳ３０４で指示されたサブセルと同一のｓＣｅｌｌＩｎｄｅｘが設定されているＳＣｅｌｌ（サブセル）が既に存在する場合、既に存在するＳＣｅｌｌ（サブセル）の「制御対象サブセル」カラムを「×」に設定する。
【００８１】
ステップＳ３０６で、基地局２のセル制御指示部２０５は、セルのアクティブ化を指示する制御信号をユーザ装置１に送信する。当該制御信号には、ｓＣｅｌｌＩｎｄｅｘが含まれる。当該制御信号は、例えば、ＭＡＣ信号のコマンドでもよいし、ＰＤＣＣＨ等の物理チャネルの制御情報（ＤＣＩ）を用いてもよい。ＭＡＣ信号のコマンドの場合、ＬＴＥの仕様で規定されている既存のＭＡＣ信号のコマンド（Activation/Deactivation MAC Control Element）をそのまま用いるようにしてもよい。なお、基地局２のセル制御指示部２０５は、ステップＳ３０６の処理手順で、複数のセルをまとめてアクティブ化するようにユーザ装置１に指示してもよい。
【００８２】
ステップＳ３０７で、ユーザ装置１のセル制御部１０５は、マッピング情報の各レコードのうち、ステップＳ３０６で指示されたｓＣｅｌｌＩｎｄｅｘを含むレコードを検索する。続いて、ユーザ装置１のセル制御部１０５は、検索された１以上のレコードに対応するサブセルのうち、「制御対象サブセル」カラムが「○」であるサブセルを選択し、選択したサブセルをアクティブ化する。
【００８３】
なお、検索された１以上のレコードに対応するサブセルのうち、「制御対象サブセル」カラムが「○」であるサブセルが存在しない場合（すなわち、検索された１以上のレコードに対応する全てのサブセルの「制御対象サブセル」カラムが「−」である場合）、ユーザ装置１のセル制御部１０５は、基地局２から、制御対象のサブセルを指定するための制御信号を受信していないと判断し、検索された１以上のレコードに対応するサブセルのうち、いずれか１つのサブセルをアクティブ化するようにしてもよい。また、この場合、ユーザ装置１のセル制御部１０５は、例えば、最も周波数バンドの低い（又は、高い）サブセルをアクティブ化するようにしてもよいし、ステップＳ３０１の処理手順で基地局２から追加を指示された順序に基づいてサブセルをアクティブ化（例えば、時刻（日時）が最も古い（又は、新しい）サブセルをアクティブ化）するようにしてもよいし、アクティブ化可能なサブセルが存在しないことを示すエラー情報を基地局２に通知するようにしてもよい。
【００８４】
以上、実施の形態に係る移動通信システムにおいて、基地局２からユーザ装置１にＣＡの開始が指示された後、追加されたセル（サブセル）がアクティブ化されるまでの一連の処理手順を説明したが、図１６に示す処理手順の一部を省略するようにしてもよい。
【００８５】
例えば、ステップＳ３０１の処理手順で、所定のＳＣｅｌｌのグループに最初のサブセルが追加される場合、基地局２は、ステップＳ３０４の処理手順を省略し、ステップＳ３０６の処理手順で、所定のＳＣｅｌｌのグループのｓＣｅｌｌＩｎｄｅｘを指定してサブセルをアクティブ化させるようにしてもよい。所定のＳＣｅｌｌのグループにサブセルが１つしか存在しない場合、ステップＳ３０４の処理手順が行われなくても、ユーザ装置１は、制御対象のサブセルを一意に特定することができるためである。
【００８６】
また、実施の形態に係る移動通信システムにおいて、基地局２は、制御対象のサブセルを指定する場合に、ダウンリンクのＣＣと、アップリンクのＣＣとを個別に指定するようにしてもよい。例えば、所定のＳＣｅｌｌに含まれる２以上のサブセルの各々が、ダウンリンクのｓｕｂＣＣ及びアップリンクのｓｕｂＣＣの両方を有している場合、基地局２のセル制御指示部２０５は、ステップＳ３０４の処理手順において、ダウンリンクのｓｕｂＣＣと、アップリンクのｓｕｂＣＣとを個別に指定可能な制御信号をユーザ装置１に送信するようにしてもよい。この場合、ユーザ装置１のマッピング管理部１０４は、マッピング情報の「制御対象サブセル」カラムを、ダウンリンクのｓｕｂＣＣと、アップリンクのｓｕｂＣＣとに区別して管理するようにしてもよい。これにより、実施の形態に係る移動通信システムは、ダウンリンク及びアップリンクの各々について、その時点で適切なｓｕｂＣＣを利用することでスループットを向上させることができる。
【００８７】
（制御対象サブセルの変更に係る処理手順）
図１８は、実施の形態に係る処理手順（制御対象サブセルの変更）の一例を示すシーケンス図である。図１８を用いて、実施の形態に係る移動通信システムにおいて、所定のＳＣｅｌｌのグループにおいて、制御対象のサブセルが変更される場合の処理手順を説明する。
【００８８】
ステップＳ４０１で、基地局２のセル制御指示部２０５は、制御対象のサブセルの切替えを指示する制御信号をユーザ装置１に送信する。当該制御信号には、ｓＣｅｌｌＩｎｄｅｘ及びｓｕｂＣｅｌｌＩｎｄｅｘが格納されている。当該制御信号は、例えば、ＭＡＣ信号のコマンドでもよいし、ＰＤＣＣＨ等の物理チャネルの制御情報（ＤＣＩ）を用いてもよい。また、ＭＡＣ信号のコマンド又は物理チャネルの制御情報には、図１７に示すフォーマットが用いられるようにしてもよい。なお、基地局２のセル制御指示部２０５は、制御対象のサブセルを複数同時に切替えるようにユーザ装置１に指示するようにしてもよい。
【００８９】
ステップＳ４０２で、ユーザ装置１のマッピング管理部１０４は、マッピング情報のうち、ステップＳ４０１で指示されたサブセルの「制御対象サブセル」カラムを「○」に設定する。また、マッピング情報のうち、ステップＳ４０１で指示されたサブセルと同一のｓＣｅｌｌＩｎｄｅｘが設定されている他のＳＣｅｌｌ（サブセル）の「制御対象サブセル」カラムを「×」に設定する。
【００９０】
ステップＳ４０３で、基地局２のセル制御指示部２０５は、セルの非アクティブ化を指示する制御信号をユーザ装置１に送信する。当該制御信号には、ｓＣｅｌｌＩｎｄｅｘが含まれる。当該制御信号は、例えば、ＭＡＣ信号のコマンドでもよいし、ＰＤＣＣＨ等の物理チャネルの制御情報（ＤＣＩ）を用いてもよい。ＭＡＣ信号のコマンドの場合、ＬＴＥの仕様で規定されている既存のＭＡＣ信号のコマンド（Activation/Deactivation MAC Control Element）をそのまま用いるようにしてもよい。なお、基地局２のセル制御指示部２０５は、複数のセルをまとめて非アクティブ化するようにユーザ装置１に指示してもよい。なお、セルの非アクティブ化を基地局２から指示するのではなく、ステップＳ４０１の信号を受信した時点で、ユーザ装置１が自らセルの非アクティブ化の処理を行うようにしてもよい。このようにすることで、制御対象のサブセルを切り替える場合に、ステップＳ４０３の処理手順を省略することができる。
【００９１】
ステップＳ４０４で、ユーザ装置１のセル制御部１０５は、マッピング情報の各レコードのうち、ステップＳ４０３で指示されたｓＣｅｌｌＩｎｄｅｘを含むレコードを検索する。続いて、ユーザ装置１のセル制御部１０５は、検索された１以上のレコードに対応するサブセルのうち、「制御対象サブセル」カラムが「○」であるサブセルを選択し、選択したサブセルを非アクティブ化する。なお、制御対象のサブセルを切り替える場合に、一旦サブセルを非アクティブ化させることにより、ユーザ装置１でＲＦの切替えに伴う不確定期間（送受信が可能であるかが不明な期間）における送受信を確実に回避し、不要なセル内外輻射やリソース浪費を防ぐことができる。
【００９２】
ステップＳ４０５及びステップＳ４０６の処理手順は、それぞれステップＳ３０６及びステップＳ３０７と同一であるため、説明は省略する。なお、ステップＳ４０６の処理手順において、ユーザ装置１のセル制御部１０５は、制御対象セルの切替えが行われる前にアクティブ化されていたサブセルの設定（例えば、ＣＳＩ報告用のリソース設定等）をそのまま流用するようにしてもよい。
【００９３】
また、上記の説明では、サブセルの切替えに際して、一旦サブセルが非アクティブ化される前提で説明を行ったが、一旦サブセルが非アクティブ化されると、再度サブセルがアクティブ化されるまでに制御遅延が発生する。従って、実施の形態に係る移動通信システムは、サブセルをアクティブ化したままサブセルを切り替えるようにしてもよい。即ち、アクティブ状態のサブセルに対してサブセルの切替指示を受けた場合、ユーザ装置１のセル制御部１０５は、当該サブセルを非アクティブ化することなくサブセルの切替えを行う。
【００９４】
このとき、ユーザ装置１のセル制御部１０５は、基地局２からサブセル切替指示を受けた後、直ちにサブセルの切替えを行ってもよいし、サブセル切替指示を受けてから所定期間が経過した後にサブセルの切替えを行ってもよい。これは、サブセル切替えが行われるタイミングを予め決めておくことで、切替期間におけるサブセルの送受信処理を阻害しないようにするためである。なお、基地局２が当該阻害を受ける期間を予め把握できるようにすることで、基地局２は、当該期間を回避して無線リソースを割当てるようにすることが可能である。そのため、基地局２のセル制御指示部２０５は、サブセル切替タイミング、及びサブセルの切替えが行われるまでの所定期間をユーザ装置１に指示するようにしてもよい。
【００９５】
また、基地局２が、ユーザ装置１のサブセル切替タイミングを精度良く把握することを可能にするために、ユーザ装置１のセル制御部１０５は、サブセル切替に伴って、切替完了通知を基地局２に通知するようにしてもよい。ユーザ装置１のセル制御部１０５は、例えば、上りリンクの物理チャネル、ＭＡＣ信号等を利用して当該切替完了通知を基地局２に通知するようにしてもよいし、或いは、サブセル切替えが完了した時点でのサブセルの状況を、例えば、ＭＡＣ信号によって基地局２に通知するようにしてもよい。
【００９６】
また、サブセル切替処理を行っている期間において、ユーザ装置１は、切替え中のサブセルの品質情報報告（ＣＱＩ報告）を行うことが想定される。この場合、正確な品質測定が出来ないことが想定されるため、ユーザ装置１のセル制御部１０５は、当該切替え中のサブセルの品質情報として、所定以下の値、或いは、範囲外の値（Out-of-range）を基地局２に通知するようにしてもよい。
【００９７】
さらに、サブセルをアクティブ化したままサブセルを切り替える場合、ユーザ装置１のセル制御部１０５は、基地局２に対して切替後のサブセルの余剰電力報告を行うようにしてもよい。これは、切替え前後のサブセル間で品質が異なる可能性があることから、サブセルの切替えに伴ってユーザ装置１が余剰電力の報告を行うことで、基地局２はいち早く切替後のサブセルの品質を把握することが可能となるためである。なお、この場合、基地局２は、必要に応じて余剰電力報告のためのリソースを自動的に割り当てるようにしてもよい。また、ユーザ装置１のセル制御部１０５は、余剰電力報告の為のＵＬ  ｇｒａｎｔを基地局２に依頼するようにしてもよい。さらに、ユーザ装置１のセル制御部１０５は、現在のバッファステータスについても基地局２に報告するようにしてもよい。この場合、セル制御部１０５は、ユーザ装置１単位のバッファステータスを基地局２に報告するようにしてもよいし、或いは、当該サブセルに関連付けられているベアラや論理チャネルに関してのみバッファステータスを基地局２に報告するようにしてもよい。
【００９８】
次に、図１８及び図１９を用いて、制御対象のサブセルが変更される場合の動作例を説明する。
【００９９】
図１９Ａ〜Ｃは、制御対象のサブセルが変更される場合の動作例を示す図である。ＳＣｅｌｌ＃１〜＃４は、ＳＣｅｌｌのグループを示している。また、ＳＣｅｌｌのグループのうち、網掛けされているグループ（例えば、図１９ＡのＳＣｅｌｌ＃１、＃３）は、当該グループに属するサブセルのうち、制御対象のサブセルがアクティブ状態であることを示している。また、ＳＣｅｌｌのグループのうち、網掛けされていないグループ（例えば、図１９ＡのＳＣｅｌｌ＃２、＃４）は、当該グループに属する全てのサブセルが非アクティブ状態であることを示している。また、ＳＣｅｌｌ＃１ａ〜＃４ｂのうち網掛けされている箇所（例えば、図１９ＡのＳＣｅｌｌ＃１ａ、＃２ａ、＃３ｂ、＃４ｂ）は、制御対象のサブセルを示している。
【０１００】
まず、図１８のステップＳ４０１〜ステップＳ４０４の処理手順により、ＳＣｅｌｌ＃１が非アクティブ化され、更に、制御対象のサブセルをＳＣｅｌｌ＃１ａからＳＣｅｌｌ＃１ｂに切替えるように指示された場合、図１９Ａから図１９Ｂの状態に遷移することになる。続いて、図１８のステップＳ４０５及びステップＳ４０６の処理手順により、ＳＣｅｌｌ＃１がアクティブ化されるように指示された場合、図１９Ｂから図１９Ｃの状態に遷移することになる。
【０１０１】
以上、実施の形態に係る移動通信システムにおいて、所定のＳＣｅｌｌのグループにおいて、制御対象のサブセルが変更される場合の処理手順を説明した。
【０１０２】
なお、実施の形態に係る移動通信システムにおいて、制御対象のサブセルを変更せずに、単にセルを非アクティブ化する処理のみを行う場合、ユーザ装置１及び基地局２は、図１８の処理手順のうち、ステップＳ４０３及びステップＳ４０４の処理手順と同様の処理手順を行うようにしてもよい。
【０１０３】
（ＣＡにおけるセル削除処理）
図２０は、実施の形態に係る処理手順（セル削除処理）の一例を示すシーケンス図である。図２０を用いて、実施の形態に係る移動通信システムにおいて、ＣＡにおけるセル（サブセル）が削除される場合の処理手順を説明する。
【０１０４】
ステップＳ５０１で、基地局２のＲＲＣ処理部２０３は、ＣＡにおけるセルの削除を指示する制御信号をユーザ装置１に送信する。当該制御信号には、削除されるＳＣｅｌｌのｓＣｅｌｌＩｎｄｅｘ及びｓｕｂＣｅｌｌＩｎｄｅｘが含まれている。なお、基地局２のＲＲＣ処理部２０３は、当該制御信号を用いて複数のセルを追加するようにユーザ装置１に指示するようにしてもよい。当該制御信号は、例えば、ＲＲＣ  Ｃｏｎｎｅｃｔｉｏｎ  Ｒｅｃｏｎｆｉｇｕｒａｔｉｏｎ信号である。
【０１０５】
ステップＳ５０２で、ユーザ装置１のＲＲＣ処理部１０３及びセル制御部１０５は、ステップＳ５０１で指示されたサブセルをＣＡされているセルから削除する処理を行う。なお、ユーザ装置１のＲＲＣ処理部１０３及びセル制御部１０５は、ステップＳ５０１で指示されたサブセルがアクティブ化されているサブセルである場合は、当該サブセルを非アクティブ化した後で、ステップＳ５０２の処理手順を行うようにしてもよいし、当該サブセルを非アクティブ化し、更に当該サブセルと同一のＳＣｅｌｌのグループに属する他のサブセルをアクティブ化した後で、ステップＳ５０２の処理手順を行うようにしてもよい。
【０１０６】
ステップＳ５０３で、ユーザ装置１のマッピング管理部１０４は、マッピング情報の各レコードのうち、ステップＳ５０１で指示されたｓＣｅｌｌＩｎｄｅｘ及びｓｕｂＣｅｌｌＩｎｄｅｘを含むレコードを削除する。
【０１０７】
以上、実施の形態に係る移動通信システムにおいて、ＣＡにおけるセル（サブセル）が削除される場合の処理手順を説明したが、ユーザ装置１及び基地局２は、図１８のステップＳ４０１及びステップＳ４０２の処理手順により制御対象のサブセルを削除対象のサブセル以外のサブセルに変更した後で、ステップＳ５０１〜ステップＳ５０３の処理手順を行うようにしてもよい。また、ユーザ装置１及び基地局２は、削除対象のサブセルがアクティブ化されている場合、図１８のステップＳ４０１及びステップＳ４０６の処理手順によりアクティブ化されているサブセルを削除対象のサブセル以外のサブセルに変更した後で、ステップＳ５０１〜ステップＳ５０３の処理手順を行うようにしてもよい。
【０１０８】
＜効果＞
以上、実施の形態に係る移動通信システムは、ＣＡに用いられる複数のＳＣｅｌｌをグループ分けすると共に、ＳＣｅｌｌのグループに含まれる１以上のサブセルのうちどのサブセルを制御対象にするかを予め決めておくようにしておき、ＳＣｅｌｌのグループに対してセルのアクティブ化／非アクティブ化の指示を行えるようにした。すなわち、実施の形態に係る移動通信システムは、ＳＣｅｌｌのグループを１つの仮想的なＳＣｅｌｌとして定義し、従来のＳＣｅｌｌごとに行われている制御機構を、仮想的なＳＣｅｌｌに割り当てるようにした。これにより、実施の形態に係る移動通信システムは、多数のＣＣを束ねるＣＡを行う場合であっても、既存の処理手順を生かしつつ、ユーザ装置１が同時に制御可能なＣＣの範囲でＣＡを行うことが可能になる。
【０１０９】
また、実施の形態に係る移動通信システムは、基地局２からユーザ装置１に対して制御対象のサブセルを指定するようにすると共に、制御対象のサブセルを切り替えることを可能にした。これにより、実施の形態に係る移動通信システムは、ＳＣｅｌｌのグループに含まれる１以上のサブセルのうち、任意のサブセルを制御対象にすることが可能にした。また、これにより、実施の形態に係る移動通信システムは、アクティブ化されるＳＣｅｌｌを、適宜伝搬状態の良いＳＣｅｌｌに切替えるというような処理が行えるようになり、スケジューリングの自由度を上げてスループットを向上させることが可能になる。
【０１１０】
また、実施の形態に係る移動通信システムにおいて、ＳＣｅｌｌのグループに含まれる１以上のサブセルのうちどのサブセルを制御対象にするか決定されていない状態で、ＳＣｅｌｌのグループに対してセルのアクティブ化を行う指示を受けた場合、ユーザ装置１は、例えば、最も周波数バンドの低い（又は、高い）サブセル、又は、基地局２から追加を指示された順序に基づいてサブセルをアクティブ化するようにした。これにより、実施の形態に係るユーザ装置１は、基地局２から制御対象のサブセルに関する指示を受けていない場合であっても、ＳＣｅｌｌのグループに含まれるサブセルをアクティブ化し、ＣＡにより複数のセルを用いた通信を行うことが可能になる。
【０１１１】
また、実施の形態に係る移動通信システムにおいて、ユーザ装置１及び基地局２は、同一のＳＣｅｌｌのグループに新たなサブセルを追加しようとする場合、追加されるセルに関する各種設定情報（例えば、バンド幅、物理チャネル構成に関する情報、ＴＤＤ構成情報等）のうち、過去に追加されたサブセルと同一の設定情報を流用（参照）することを可能にした。これにより、実施の形態に係る移動通信システムは、ユーザ装置１及び基地局２の間で通信される制御信号の信号量を削減することが可能になる。
【０１１２】
また、実施の形態に係る移動通信システムにおいて、基地局２は、制御対象のサブセルを指定する場合に、ダウンリンクのｓｕｂＣＣと、アップリンクのｓｕｂＣＣとを個別に指定することを可能にした。これにより、実施の形態に係る移動通信システムは、ダウンリンク及びアップリンクの各々について、その時点で適切なｓｕｂＣＣを利用することでスループットを向上させることが可能になる。
【０１１３】
＜実施形態のまとめ＞
以上説明した通り、本実施の形態により、キャリアアグリゲーションをサポートする移動通信システムにおいて、基地局と通信を行うユーザ装置であって、前記基地局から、特定のセカンダリセルのグループに対応づけられる１以上のサブセルを追加する指示を受け付ける処理手段と、前記指示を受けて、前記特定のセカンダリセルのグループと前記１以上のサブセルとの対応付けを管理する管理手段と、前記基地局から、前記特定のセカンダリセルのグループに対する制御を受けた場合に、前記対応付けに基づき、前記１以上のサブセルのうち、いずれか１つのサブセルを制御する制御手段と、を有するユーザ装置が提供される。
【０１１４】
前記管理手段は、前記基地局から、前記特定のセカンダリセルのグループに対応づけられる前記１以上のサブセルのうち、制御対象のサブセルを指定するコマンドを受け付け、受け付けたコマンドに基づいて制御対象のサブセルを更に管理するようにしてもよい。
【０１１５】
前記制御手段は、前記基地局から前記特定のセカンダリセルのグループに対してアクティブ化又は非アクティブ化を行うためのコマンドを受信した場合、前記制御対象のサブセルをアクティブ化又は非アクティブ化するように制御するようにしてもよい。
【０１１６】
前記制御手段は、前記基地局から、前記特定のセカンダリセルのグループに対応づけられる前記１以上のサブセルのうち、前記制御対象のサブセルを切り替えるコマンドを受け付けた場合、アクティブ化されている切り替え前のサブセルを非アクティブ化するように制御するようにしてもよい。
【０１１７】
前記制御対象のサブセルを指定するコマンド、又は、前記制御対象のサブセルを切り替えるコマンドは、ＭＡＣ  ＣＥに規定されるコマンドであるようにしてもよい。
【０１１８】
前記制御手段は、前記基地局から、前記特定のセカンダリセルのグループに対応づけられる前記１以上のサブセルのうち、前記制御対象のサブセルを切り替えるコマンドを受け付けた場合、コマンドを受け付けたタイミング、又は、コマンドを受け付けてから所定の期間が経過した後に、アクティブ化されているサブセルの切り替えを行うようにしてもよい。
【０１１９】
前記制御手段は、前記基地局から、前記特定のセカンダリセルのグループに対応づけられる前記１以上のサブセルのうち、前記制御対象のサブセルを切り替えるコマンドを受け付け、アクティブ化されているサブセルの切り替え処理を行っている間に、サブセルの品質情報を前記基地局に送信する場合、所定の値以下の値又は範囲外の値が設定された品質情報を前記基地局に通知するようにしてもよい。
【０１２０】
前記制御手段は、前記基地局から、前記特定のセカンダリセルのグループに対応づけられる前記１以上のサブセルのうち、前記制御対象のサブセルを切り替えるコマンドを受け付け、アクティブ化されているサブセルの切り替えを行った場合、切り替え後のサブセルの余剰電力、及びバッファステータスのうち少なくとも１つを前記基地局に通知するようにしてもよい。
【０１２１】
前記制御手段は、前記基地局から、前記特定のセカンダリセルのグループに対してアクティブ化又は非アクティブ化を行うためのコマンドを受信した場合、前記１以上のサブセルの周波数バンド、又は、前記１以上のサブセルを追加する指示を受け付けた順序に基づいて、前記いずれか１つのサブセルを選択するようにしてもよい。
【０１２２】
また、本実施の形態により、キャリアアグリゲーションをサポートするユーザ装置と基地局とを有する移動通信システムにおけるセル制御方法であって、前記基地局が、セカンダリセルに対応づけられる１以上のサブセルを追加する指示を行う指示ステップと、前記ユーザ装置が、前記基地局から、特定のセカンダリセルのグループに対応づけられる１以上のサブセルを追加する指示を受け付ける処理ステップと、前記ユーザ装置が、前記指示を受けて、前記特定のセカンダリセルのグループと前記１以上のサブセルとの対応付けを管理する管理ステップと、前記ユーザ装置が、前記基地局から、前記特定のセカンダリセルのグループに対する制御を受けた場合に、前記対応付けに基づき、前記１以上のサブセルのうち、いずれか１つのサブセルを制御する制御ステップと、を有するセル制御方法が提供される。
【０１２３】
また、上記の各装置の構成における「手段」を、「部」、「回路」、「デバイス」等に置き換えてもよい。
【０１２４】
＜実施形態の補足＞
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置１及び基地局２は機能的なブロック図を用いて説明されたが、そのような装置はハードウェアで、ソフトウェアで又はそれらの組み合わせで実現されてもよい。本発明の実施の形態に従ってユーザ装置１が有するプロセッサにより動作するソフトウェア及び本発明の実施の形態に従って基地局２が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１２５】
本発明は上記実施形態に限定されず、本発明の精神から逸脱することなく、様々な変形例、修正例、代替例、置換例等が本発明に包含される。
【０１２６】
なお、各実施の形態において、ＲＲＣ処理部１０３は、処理手段又は処理ステップの一例である。また、マッピング管理部１０４は、管理手段又は管理ステップの一例である。また、セル制御部１０５は、制御手段又は制御ステップの一例である。セル制御指示部２０５は、制御手段又は制御ステップの一例である。
【０１２７】
本特許出願は２０１５年２月２０日に出願した日本国特許出願第２０１５−０３２２５６号に基づきその優先権を主張するものであり、日本国特許出願第２０１５−０３２２５６号の全内容を本願に援用する。
【符号の説明】
【０１２８】
１  ユーザ装置
２  基地局
１０１  ＤＬ信号受信部
１０２  ＵＬ信号送信部
１０３  ＲＲＣ処理部
１０４  マッピング管理部
１０５  セル制御部
２０１  ＤＬ信号受信部
２０２  ＵＬ信号送信部
２０３  ＲＲＣ処理部
２０４  マッピング管理部
２０５  セル制御指示部
３０１  ＲＦモジュール
３０２  ＢＢ処理モジュール
３０３  ＵＥ制御モジュール
４０１  ＲＦモジュール
４０２  ＢＢ処理モジュール
４０３  装置制御モジュール
４０４  通信ＩＦ
【図１】
2016133112.tif 000003
【図２】
2016133112.tif 000004
【図３】
2016133112.tif 000005
【図４】
2016133112.tif 000006
【図５】
2016133112.tif 000007
【図６】
2016133112.tif 000008
【図７Ａ】
2016133112.tif 000009
【図７Ｂ】
2016133112.tif 000010
【図７Ｃ】
2016133112.tif 000011
【図８】
2016133112.tif 000012
【図９Ａ】
2016133112.tif 000013
【図９Ｂ】
2016133112.tif 000014
【図１０】
2016133112.tif 000015
【図１１】
2016133112.tif 000016
【図１２】
2016133112.tif 000017
【図１３】
2016133112.tif 000018
【図１４】
2016133112.tif 000019
【図１５】
2016133112.tif 000020
【図１６】
2016133112.tif 000021
【図１７】
2016133112.tif 000022
【図１８】
2016133112.tif 000023
【図１９Ａ】
2016133112.tif 000024
【図１９Ｂ】
2016133112.tif 000025
【図１９Ｃ】
2016133112.tif 000026
【図２０】
2016133112.tif 000027
【国際調査報告】
2016133112.tif 000028
2016133112.tif 000029
2016133112.tif 000030
2016133112.tif 000031